(57)【要約】【課題】従来の技術では、使用する機器とユーザの距離が比較的固定しているＡＴＭ、パソコン及び携帯電話による情報検索のような場合は充分機能するが、テレビのＥＰＧのように、ユーザと機器との距離が一定していない場合、ユーザ適応していても、距離が離れていれば文字が見にくい場合等が生じる。逆に機器とユーザが近い場合には、文字サイズは多少小さくても、一度に表示できる情報が多い方がよい場合がある。【解決手段】本発明は、ユーザと情報提供手段１０７との距離を測定する距離測定手段１０５を有し、文字の大きさ、色使い、図の大きさ、レイアウト、音声出力の要否などの情報提示方法、コンテンツの複雑さ、音声出力時の内容、日本語の場合には漢字への対応法など情報内容などのそれぞれの特性に対して、ユーザの指定するプロファイルと測定した距離とに従って、コンテンツを変換する。【選択図】  図１
2004336439.tif 000002
【特許請求の範囲】
【請求項１】
ユーザの嗜好でコンテンツを動的に変換するためのパラメータを記述したユーザプロファイルを生成するユーザプロファイル設定手段と、前記ユーザプロファイルと動的に変換されたコンテンツとを表示する情報提供手段と、前記ユーザと前記情報提供手段との距離を測定した距離測定結果を出力する距離測定手段と、前記ユーザプロファイルと前記距離測定結果とを送信し、前記動的に変換されたコンテンツを受信する端末用送受信手段とを含む情報端末装置。
【請求項２】
コンテンツを受信する受信手段と、ユーザの嗜好で前記コンテンツを動的に変換するためのパラメータを記述したユーザプロファイルを生成するユーザプロファイル設定手段と、前記ユーザプロファイルと動的に変換されたコンテンツとを表示する情報提供手段と、前記ユーザと前記情報提供手段との距離を測定した距離測定結果を出力する距離測定手段と、前記ユーザプロファイルと前記距離測定結果とを用いて前記コンテンツを動的に変換するコンテンツ変換手段とを含む情報端末装置。
【請求項３】
予めコンテンツを蓄積するコンテンツ蓄積手段と、ユーザプロファイルと距離測定結果とを受信するサーバ用送受信手段と、前記ユーザプロファイルと前記距離測定結果とを用いて前記コンテンツを動的に変換するコンテンツ変換手段とを含み、前記サーバ用送受信手段が、動的に変換された前記コンテンツを送信する情報提供サーバ装置。
【請求項４】
請求項１に記載された情報端末装置と、請求項３に記載された情報提供サーバ装置とを含む情報処理システム。
【請求項５】
請求項２に記載された情報端末装置と、予めコンテンツを蓄積するコンテンツ蓄積手段及び前記コンテンツを送信する送信手段を含む情報提供サーバ装置とを有する情報処理システム。
【発明の詳細な説明】
【０００１】
【発明の属する技術分野】
本発明は、ネットワークを利用した情報提供サーバ装置及び情報提供システムに関する。特にこれらのシステムが多くのユーザにとって使い易いものであるためのアクセシビリティの向上に関する。
【０００２】
【従来の技術】
インターネットをはじめとする情報通信ネットワーク及び機器の急激な進歩により、情報機器の操作に慣れていない利用者、高齢者及び障害者が、情報にアクセスできないというデジタルデバイドが大きな社会問題となっている。
【０００３】
これらの問題を解決するため、予めコンテンツをアクセシブルに作成し、コンテンツ内の小さな文字が見にくい高齢者には、文字を拡大して表示し、視覚に障害のある利用者には、コンテンツの内容を音声出力する等、利用者の特性に応じてコンテンツの変換仕様を動的に作成し、最適なコンテンツを提供する情報提供サーバや情報提供システムが提案されている（例えば、特許文献１参照）。
【０００４】
【特許文献１】
特開平７−９８７０８号公報（第８頁、第１図）
【０００５】
【発明が解決しようとする課題】
しかしながら、従来の技術による対応では、使用する機器とユーザの距離が比較的固定しているＡＴＭ（現金自動預け入れ払い機）、パソコン及び携帯電話による情報検索のような場合は充分機能するが、テレビのＥＰＧ（電子プログラムガイド）のように、ユーザと機器との距離が一定していない場合、ユーザ適応していても、距離が離れていれば文字が見にくい場合等が生じる。逆に機器とユーザが近い場合には、文字サイズは多少小さくても、一度に表示できる情報が多い方がよい場合がある。
【０００６】
本発明は、以上のような問題点に鑑みてなされたもので、ユーザプロファイル設定手段に加えて、ユーザと機器との距離を測定する手段を有し、ユーザと機器との距離によって、文字サイズ等の提示方法を最適化することにより、ユーザの位置にかかわらず、了解性のよい最適な情報を提供することを目的とする。
【０００７】
【課題を解決するための手段】
上記課題を解決するために、本発明は、ユーザと機器との距離を測定する手段を有し、文字の大きさ、色使い、図の大きさ、レイアウト、音声出力の要否などの情報提示方法、コンテンツの複雑さ、音声出力時の内容、日本語の場合には漢字への対応法など情報内容などのそれぞれの特性に対して、ユーザの指定するプロファイルとユーザと機器との距離に従って、コンテンツを変換する手段を設けたものである。
【０００８】
【発明の実施の形態】
本発明の請求項１に記載の発明は、ユーザの嗜好でコンテンツを動的に変換するためのパラメータを記述したユーザプロファイルを生成するユーザプロファイル設定手段と、前記ユーザプロファイルと動的に変換されたコンテンツとを表示する情報提供手段と、前記ユーザと前記情報提供手段との距離を測定した距離測定結果を出力する距離測定手段と、前記ユーザプロファイルと前記距離測定結果とを送信し、前記動的に変換されたコンテンツを受信する端末用送受信手段とを含む情報端末装置としたものであり、ユーザと情報端末装置との距離及びユーザの嗜好を考慮した、理解しやすいコンテンツを表示することができるという作用を有する。
【０００９】
本発明の請求項２に記載の発明は、コンテンツを受信する受信手段と、ユーザの嗜好で前記コンテンツを動的に変換するためのパラメータを記述したユーザプロファイルを生成するユーザプロファイル設定手段と、前記ユーザプロファイルと動的に変換されたコンテンツとを表示する情報提供手段と、前記ユーザと前記情報提供手段との距離を測定した距離測定結果を出力する距離測定手段と、前記ユーザプロファイルと前記距離測定結果とを用いて前記コンテンツを動的に変換するコンテンツ変換手段とを含む情報端末装置としたものであり、ユーザと情報端末装置との距離及びユーザの嗜好を考慮した、理解しやすいコンテンツを情報端末装置が作成し、表示することができるという作用を有する。
【００１０】
本発明の請求項３に記載の発明は、予めコンテンツを蓄積するコンテンツ蓄積手段と、ユーザプロファイルと距離測定結果とを受信するサーバ用送受信手段と、前記ユーザプロファイルと前記距離測定結果とを用いて前記コンテンツを動的に変換するコンテンツ変換手段とを含み、前記サーバ用送受信手段が、動的に変換された前記コンテンツを送信する情報提供サーバ装置としたものであり、ユーザと情報端末装置との距離及びユーザの嗜好を考慮した、理解しやすいコンテンツを情報提供サーバ装置が作成し、送信することができるという作用を有する。
【００１１】
本発明の請求項４に記載の発明は、請求項１に記載された情報端末装置と、請求項３に記載された情報提供サーバ装置とを含む情報処理システムとしたものであり、ユーザと情報端末装置との距離及びユーザの嗜好を考慮した、理解しやすいコンテンツを情報提供サーバ装置が作成し、情報端末装置が表示することができるという作用を有する。
【００１２】
本発明の請求項５に記載の発明は、請求項２に記載された情報端末装置と、予めコンテンツを蓄積するコンテンツ蓄積手段及び前記コンテンツを送信する送信手段を含む情報提供サーバ装置とを有する情報処理システムとしたものであり、情報提供サーバ装置が送信するコンテンツを、情報端末装置が、ユーザと情報端末装置との距離及びユーザの嗜好を考慮した、理解しやすいコンテンツを作成し、表示することができるという作用を有する。
【００１３】
以下、本発明の実施の形態について、図面を用いて説明する。
【００１４】
（実施の形態１）
図１は、本発明第１の実施の形態による情報提供システムの構成を示す図である。ここでは、一般家庭の室内に配置されたテレビのＥＰＧを応用例として説明する。
【００１５】
情報提供システムは、情報端末装置と情報提供サーバ装置とから構成され、情報端末装置は、情報提供手段、ユーザプロファイル設定手段、距離測定手段、ユーザプロファイル解析手段、コンテンツ変更手段及び受信手段を含む構成であり、情報提供サーバ装置は、送信手段及びコンテンツ蓄積手段を含む構成である。
【００１６】
情報端末装置１０１は、コンテンツを受信し、動的に変換したコンテンツを表示するものであり、情報提供サーバ装置１０２は、コンテンツを情報端末装置１０１に送信するものであり、ネットワーク１０３は、情報端末装置１０１と情報提供サーバ装置１０２とが接続され、コンテンツの送受信を行うものであり、ユーザプロファイル設定手段１０４は、ユーザの嗜好でコンテンツを動的に変更するためのパラメータを記述したユーザプロファイルを生成するものである。
【００１７】
また、距離測定手段１０５は、ユーザと情報提供手段１０７との距離を測定するものであり、コンテンツ変換手段１０６は、ユーザプロファイルを解析し、ユーザプロファイルに基づいてコンテンツを変換するものであり、情報提供手段１０７は、情報提供サーバ装置１０２から配信された情報、コンテンツをモニタやスピーカ等を用いてユーザに提示するものであり、受信手段１０８は、コンテンツを受信するものである。
【００１８】
また、送信手段１０９は、コンテンツを送信するものであり、コンテンツ蓄積手段１１０は、予めコンテンツを蓄積するものである。
【００１９】
上記のように構成された情報提供システムの動作について説明する。
【００２０】
まず、コンテンツが情報提供サーバ装置１０２のコンテンツ蓄積手段１１０から出力され、送信手段１０９により、ネットワーク１０３を介して、情報端末装置１０１に送信される。
【００２１】
次に、情報端末装置１０１の受信手段１０８が、コンテンツを受信し、コンテンツ変換手段１０６に出力する。
【００２２】
次に、距離測定手段１０５が、ユーザと情報端末装置１０１との距離を測定する。距離を測定する手法としては、赤外線距離センサーを用いる方法などがある。また、ユーザが指定することも可能である。ここでは、室内でのテレビ鑑賞を前提としているので、１ｍ未満の場合は、距離が「近い」と判断し、１ｍ以上２ｍ未満は距離が「適当」と判断し、２ｍ以上は距離が「遠い」と判断する。ここでは、ユーザと情報端末装置１０１との距離を３ｍとし、距離測定結果は２ｍ以上であるため、「遠い」と判断される。
【００２３】
なお、距離測定結果は、本発明では、３段階としたが、情報端末装置１０１の配置場所により、ユーザが決定することができる。
【００２４】
次に、ユーザプロファイル設定手段１０４が、ユーザからの入力によりユーザプロファイルを設定する。図２は、ユーザプロファイルを設定する際に、情報提供手段１０７に表示される画面を示す。図２（ａ）は、ユーザプロファイル設定画面２０１を示し、図２（ｂ）は、ユーザプロファイル設定画面２０１の各項目に設定されているリストボックス２０２を示す。
【００２５】
ユーザプロファイルの設定項目としては、コンテンツに含まれる「文字の大きさ」、コンテンツに含まれる「画面の拡大」、コンテンツに含まれる文書の「説明の詳しさ」、コンテンツに含まれる文章の［音声出力］、コンテンツに含まれる文章に使用される「漢字の理解度」及びコンテンツに含まれる文章に使用される漢字の「振り仮名の必要度」が表示されている。
【００２６】
ここで、「文字の大きさ」の設定を行う場合は、リストボックス２０２をユーザプロファイル設定手段に接続されているマウスや、情報提供手段１０７に設置されているタッチパネルなどにより選択し、図２（ｂ）に示すように、設定内容の候補を表示させ、５段階の文字サイズ（最小、小、中、大、最大）の中から設定を行う。このときの設定値は、距離測定結果が「遠い」である場合に最適な文字サイズで設定するものとする。ここでは、実線で囲われた「大」が選択され、選択されていない設定値は点線で示される。
【００２７】
全ての項目の設定が終了した後に、「設定」２０３を選択することで、ユーザプロファイルを設定し、「設定解除」２０４を選択することで、ユーザプロファイルは、標準的な値に設定される。例えば、文字の大きさは「中」となる。ここで、設定されたユーザプロファイルは、コンテンツ変換手段１０６に出力する。
【００２８】
なお、ユーザプロファイルの項目には、上記以外に、背景色、文字色、音声出力時の代替情報が考えられる。
【００２９】
なお、ユーザプロファイルは、距離測定結果に「近い」、「適当」及び「遠い」の３種類に合わせて設定することができる。
【００３０】
次に、コンテンツ変換手段１０６が、ユーザプロファイルと距離とからコンテンツを変更する。ここで、独自に定義することができるｕｄタグを用いた構造化記述言語（ｅＸｔｅｎｓｉｂｌｅ  Ｍａｒｋｕｐ  Ｌａｎｇｕａｇｅ：ＸＭＬ）によりコンテンツを記述することで、ユーザプロファイルと距離とを反映させた動的なコンテンツの変更が可能となる。
【００３１】
図３は、ｕｄタグを持つコンテンツの記述を示す図である。図３（ａ）は、ｕｄタグを用いたＸＭＬにより記述されたコンテンツを示し、第１行目が、ｕｄタグによる文字のフォントの大きさを指定する行であり、第２行目が、コンテンツの内容を示す行であり、第３行目が、ｕｄタグの終了を示す行である。また、図３（ｂ）は、ユーザプロファイルと距離とを反映させ、コンテンツを動的に変換して、ＸＭＬからＨＴＭＬを出力したコンテンツを示す。ここでは、ユーザプロファイルに記述された文字の大きさ「大」と距離測定手段１０５で判定された「遠い」とから、ｆｏｎｔｓｉｚｅが３から６に変換される。
【００３２】
また、図４に、情報提供手段１０７に表示されるＥＰＧによる番組表を示す。図４（ａ）は、番組表を変換する前の状態を示し、図４（ｂ）には、ユーザプロファイルと距離とから動的に変換した後の状態を示す。ここでは、ユーザプロファイルにおいて、文字の大きさを「大」と指定し、距離測定手段１０５の測定結果が「遠い」と判定されているため、番組表の文字を大きく表示している。
【００３３】
ここで、コンテンツを動的に変換するとは、ユーザプロファイル及び距離測定結果を含むパラメータを用いて、コンテンツの表示形態をユーザに適した表示形態に変更することである。
【００３４】
なお、本発明では、文字の大きさについて説明したが、動的に変換されるものは、図２に示したように、コンテンツに含まれる「画面の拡大」、コンテンツに含まれる文書の「説明の詳しさ」、コンテンツに含まれる文章の［音声出力］、コンテンツに含まれる文章に使用される「漢字の理解度」又はコンテンツに含まれる文章に使用される漢字の「振り仮名の必要度」であっても同様な効果を得ることができる。
【００３５】
なお、コンテンツ変換手段は、情報提供サーバ装置に含まれる構成であっても、同様の効果を得ることができる。
【００３６】
図５に、情報提供サーバ装置がコンテンツ変換手段を含む情報処理システムの構成図を示す。
【００３７】
ここで、情報端末装置は、情報提供手段、ユーザプロファイル設定手段、距離測定手段、送受信手段を含む構成となり、情報提供サーバ装置は、送受信手段、コンテンツ変換手段、コンテンツ蓄積手段を含む構成となる。
【００３８】
情報端末装置５０１は、ユーザプロファイルと距離測定結果とを送信し、動的に変換されたコンテンツを受信し、動的に変換したコンテンツを表示するものであり、情報提供サーバ装置５０２は、ユーザプロファイルと距離測定結果とを受信し、コンテンツを動的に変換させ、動的に変換したコンテンツを情報端末装置５０１に送信するものであり、ネットワーク５０３は、情報端末装置５０１と情報提供サーバ装置５０２とが接続され、コンテンツの送受信を行うものである。
【００３９】
また、ユーザプロファイル設定手段５０４は、ユーザの嗜好でコンテンツを動的に変更するためのパラメータを記述したユーザプロファイルを生成するものであり、距離測定手段５０５は、ユーザと情報端末装置５０１との距離を測定するものであり、情報提供手段５０６は、情報提供サーバ装置５０２から配信された情報、コンテンツをモニタやスピーカ等を用いてユーザに提示するものであり、端末用送受信手段５０７は、ユーザプロファイルと距離測定結果とを送信し、コンテンツを受信するものである。
【００４０】
また、サーバ用送受信手段５０８は、ユーザプロファイルと距離測定結果とを受信し、動的に変換されたコンテンツを送信するものであり、コンテンツ変換手段５０９は、ユーザプロファイルを解析し、ユーザプロファイルと距離測定結果に基づいてコンテンツを変換するものであり、コンテンツ蓄積手段５１０は、予めコンテンツを蓄積するものである。
【００４１】
まず、情報端末装置５０１において、ユーザプロファイルを情報提供手段５０６に出力し、ユーザがユーザプロファイル設定手段５０４により各設定項目を選択し、端末用送受信手段５０７に出力する。また、距離測定手段５０５が、情報端末装置５０１とユーザとの距離を測定し、距離測定結果を端末用送受信手段５０７に出力する。端末用送受信手段５０７が、ユーザプロファイルと距離測定結果とを情報提供サーバ装置５０２にネットワーク５０３を介して出力する。
【００４２】
次に、情報提供サーバ装置５０２において、サーバ用送受信手段５０８が、ユーザプロファイルと距離測定結果とを受信し、コンテンツ変換手段５０９に出力する。また、コンテンツ変換手段５０９が、コンテンツ蓄積手段５１０から送信するコンテンツを選択し、ユーザプロファイルと距離測定結果とからコンテンツを動的に変換し、サーバ用送受信手段５０８に出力する。サーバ用送受信手段５０８は、動的に変換されたコンテンツを、ネットワーク５０３を介して情報端末装置５０１に出力する。
【００４３】
次に、情報端末装置５０１において、端末用送受信手段５０７が動的に変換されたコンテンツを情報提供手段５０６に出力し、コンテンツを表示する。
【００４４】
なお、ユーザプロファイルは、一度設定しておくと、次回からはそれが採用される。
【００４５】
なお、ユーザプロファイル設定手段１０４への入力は、情報端末装置１０１を遠隔操作するリモコンを介して行われてもよい。また、リモコンがユーザプロファイル設定手段１０４を含む構成であってよい。
【００４６】
このように、本実施例の構成に寄れば、ユーザと情報端末装置との距離を測る手段を有して、距離に応じてプロファイルの設定情報を変更することにより、距離に応じた最適なコンテンツを提供することができる。
【００４７】
【発明の効果】
以上のように、本発明によれば、ユーザと情報提供手段との距離を測定して、距離とユーザプロファイルとに応じてコンテンツを動的に変換することにより、ユーザと情報端末装置との距離が一定でない場合にも、最適なコンテンツを提供することができる。
【図面の簡単な説明】
【図１】本発明第１の実施の形態による情報処理システムの構成を示す図
【図２】（ａ）本発明第１の実施の形態によるユーザプロファイルを示す図
（ｂ）本発明第１の実施の形態によるユーザプロファイルのリストボックスを示す図
【図３】（ａ）本発明第１の実施の形態によるＸＭＬの記述を示す図
（ｂ）本発明第１の実施の形態によるＨＴＭＬの記述を示す図
【図４】（ａ）本発明第１の実施の形態による番組表を示す図
（ｂ）本発明第１の実施の形態による動的に変換した番組表を示す図
【図５】本発明第１の実施の形態による情報処理システムの構成を示す図
【符号の説明】
１０１、５０１  情報端末装置
１０２、５０２  情報提供サーバ装置
１０３、５０３  ネットワーク
１０４、５０４  ユーザプロファイル設定手段
１０５、５０５  距離測定手段
１０６、５０９  コンテンツ変換手段
１０７、５０６  情報提供手段
１０８  受信手段
１０９  送信手段
１１０、５１０  コンテンツ蓄積手段
５０７  端末用送受信手段
５０８  サーバ用送受信手段
【図１】
2004336439.tif 000003
【図２】
2004336439.tif 000004
【図３】
2004336439.tif 000005
【図４】
2004336439.tif 000006
【図５】
2004336439.tif 000007